(57)【要約】  本技術は、筐体の表面に光出射部が露出する装飾部を備えた電子機器であって、装飾部は、光出射部を有する導光部（７）と、導光部（７）に取り付けた複数の光源（８）とを有している。導光部（７）は、光源（８）が取り付けられる光源取付面と、光源（８）から出射された光を反射する第１の反射面（７ｃ）及び第２の反射面（７ｄ）とを有している。
2014147676.tif 000002
【特許請求の範囲】
【請求項１】
筐体の表面に光出射部が露出する装飾部を備えた電子機器であって、
前記装飾部は、前記光出射部を有する導光部と、前記導光部に取り付けた複数の光源とを有し、
前記導光部は、前記光源が取り付けられる光源取付面と、前記光源から出射された光を反射する第１の反射面及び第２の反射面とを有していることを特徴とする電子機器。
【請求項２】
前記光源は、前記導光部の前記光出射部から出射される光の輝度分布において、分布の谷に対応する位置に配置されていることを特徴とする請求項１に記載の電子機器。
【請求項３】
前記導光部の第１の反射面は、前記光源取付面との間の角度が９０°以下の角度になるように形成され、前記第２の反射面は、前記第１の反射面との間の角度が鈍角になるように形成されていることを特徴とする請求項１に記載の電子機器。
【請求項４】
前記導光部の前記第２の反射面は、前記第１の反射面より長さが長いことを特徴とする請求項１に記載の電子機器。
【発明の詳細な説明】
【技術分野】
【０００１】
本技術は、薄型ディスプレイやスマートフォン、タブレットなどの携帯型ディスプレイのように表示部の周囲に装飾用の筐体を有する表示装置などの電子機器に関するものである。
【背景技術】
【０００２】
薄型ディスプレイやスマートフォン、タブレットなどの携帯型ディスプレイは、液晶表示装置や有機ＥＬ表示装置を表示部として用い、その表示部の周囲を装飾用の筐体で覆う構造が採用されている（特許文献１参照）。【０００３】
この種の表示装置は、単純な平板形状であり、デザイン上において商品価値を高めるに、表示部の周囲を覆う筐体の装飾に工夫を加えることが行われるようになってきている。
【先行技術文献】
【特許文献】
【０００４】
【特許文献１】特開２００６−５３５２８号公報
【発明の概要】
【０００５】
本技術は、筐体の表面に光出射部が露出する装飾部を備えた電子機器であって、装飾部は、光出射部を有する導光部と、導光部に取り付けた複数の光源とを有している。導光部は、光源が取り付けられる光源取付面と、光源から出射された光を反射する第１の反射面及び第２の反射面とを有している。
【図面の簡単な説明】
【０００６】
【図１】図１は本技術の一実施の形態による表示装置を示す斜視図である。
【図２】図２は表示装置のバックカバーを外して内部の配置構造を示す平面図である。
【図３】図３は図２のＡ部を拡大して示す平面図である。
【図４】図４は図３のＢ部を拡大して示す平面図である。
【図５】図５は筐体の枠体と装飾部との位置関係を示す斜視図である。
【図６】図６は図５のＣ部を拡大して示す斜視図である。
【図７】図７は装飾部において、導光部と光源の一部を拡大して示す説明図である。
【図８】図８は装飾部の光源の位置と光出射部からの光の輝度分布との関係を説明するための説明図である。
【発明を実施するための形態】
【０００７】
以下、本技術の一実施の形態による電子機器について、表示装置を例にとって図面を用いて説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００８】
なお、発明者らは、当業者が本技術を十分に理解するために添付図面および以下の説明を提供するのであって、これらによって請求の範囲に記載の主題を限定することを意図するものではない。
【０００９】
図１は、本技術の一実施の形態による表示装置を示す斜視図である。図１に示すように、薄型の表示装置は、平板状の液晶ディスプレイや有機ＥＬディスプレイなどの表示モジュール（図示せず）を筐体１内に収納することにより構成される。表示装置の前面側には、表示モジュールによる表示部２が設けられている。スタンド３は、表示装置を据え置き状態で保持するためのものである。
【００１０】
また、筐体１は、表示モジュールの前面側であって、表示部２の周囲に配置される額縁状の金属や樹脂からなる枠体４と、表示モジュールの背面側を覆うように配置される金属や樹脂からなるバックカバー（図示せず）とから構成されている。筐体１の枠体４の表面には、全周に亘って、装飾部５の一部である光出射部が露出している。なお、図１においては、装飾部５の光出射部が、筐体１の表面に全周に亘って露出しているが、表面の一部、例えば、上下左右の一辺のみに露出する構成であってもよい。
【００１１】
図２は、表示装置のバックカバーを外して内部の配置構造を示す平面図である。図２に示すように、筐体１内には、表示モジュール６が配置されており、この表示モジュール６と筐体１の枠体４との間には、額縁状の装飾部５が配置されている。
【００１２】
図３は、図２のＡ部を拡大して示す平面図である。図４は、図３のＢ部を拡大して示す平面図である。また、図５は、筐体の枠体と装飾部との位置関係を示す斜視図である。図６は、図５のＣ部を拡大して示す斜視図である。
【００１３】
図３〜図５に示すように、装飾部５は、アクリルやポリカーボネートなどの光透過性の樹脂材料により形成された導光部７と、導光部７に所定の間隔をあけて取り付けたＬＥＤとレンズとからなる複数の光源８とを有している。また、図６に示すように、装飾部５の導光部７は、光出射部７ａを有し、光出射部７ａが枠体４の全周に亘って、筐体１の前面側の表面に露出するように設けられている。光源８の光は、導光部７に導光されて枠体４の前面側の表面から出射される。すなわち、装飾部５の光源８を点灯させることにより、枠体４の前面側に光の輪が形成されることとなる。
【００１４】
図７は、装飾部において、導光部と光源の一部を拡大して示す説明図である。図７に示すように、導光部７は、光源８が取り付けられる光源取付面７ｂと、光源８から出射された光を反射する第１の反射面７ｃ及び第２の反射面７ｄとを有している。第１の反射面７ｃは、光源取付面７ｂとの間の角度αがα≦９０°の角度になるように形成され、また第２の反射面７ｄは、第１の反射面７ｃより長さが長く、第１の反射面７ｃとの間の角度βがβ＞１００°の鈍角になるように形成されている。ここで、光源８は、ＬＥＤと、ＬＥＤから出射される光を広配向に広げて出射するレンズとから構成されている。
【００１５】
したがって、図７の矢印で示すように、光源８から出射される光は、直接、光出射部７ａに導光される光路と、第１の反射面７ｃに導光され、第１の反射面７ｃで反射されて光出射部７ａに導光される光路と、第２の反射面７ｄに導光され、第２の反射面７ｄで反射されて光出射部７ａに導光される光路と、第１の反射面７ｃに導光され、第１の反射面７ｃで反射されて第２の反射面７ｄに導光され、第２の反射面７ｄで反射されて光出射部７ａに導光される光路とが形成されることとなる。これにより、１個の光源８から長さが長い光のラインを形成することができる。
【００１６】
図８は、装飾部の光源の位置と光出射部からの光の輝度分布との関係を説明するための説明図である。図８に示すように、装飾部５から出射される光の輝度分布において、分布の谷に対応する位置に光源８が配置されている。そして、導光部７は、特定の光源８から次の光源８までの間に、第１の反射面７ｃと、第１の反射面７ｃより長さが長く、かつ第１の反射面７ｃとの間の角度が鈍角となる第２の反射面７ｄとを有している。
【００１７】
なお、図８においては、表示装置の長辺部の輝度分布と装飾部５の光源８との位置関係を示しているが、表示装置の短辺部においても、上記で説明した構成と同様な位置関係を有している。
【００１８】
また、上記実施の形態においては、第１の反射面７ｃと第２の反射面７ｄとを有する導光部７を例示して説明したが、第２の反射面７ｄと次の光源取付面７ｂとの間に、別の反射面を形成してもよく、さらには第１の反射面７ｃと第２の反射面７ｄとの間に別の反射面を形成してもよい。
【００１９】
以上のように本技術は、筐体１の表面に光出射部７ａが露出する装飾部５を備えた電子機器であって、装飾部５は、光出射部７ａを有する導光部７と、導光部７に取り付けた複数の光源８とを有している。導光部７は、光源８が取り付けられる光源取付面７ｂと、光源８から出射された光を反射する第１の反射面７ｃ及び第２の反射面７ｄとを有している。
【００２０】
これにより、少ない数の光源８によって、長さが長い光のラインを形成することができ、しかも均一な明るさで光らせることができ、デザイン上の商品価値を高めることができるという効果が得られる。
【００２１】
また、本技術は、光源８は、導光部７の光出射部７ａから出射される光の輝度分布において、分布の谷に対応する位置に配置される。これにより、より均一な明るさで、装飾部５を光らせることができ、デザイン上の商品価値を高めることができる。
【００２２】
以上のように、本開示における技術の例示として、実施の形態を説明した。そのために、添付図面および詳細な説明を提供した。
【００２３】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００２４】
また、上述の実施の形態は、本開示における技術を例示するためのものであるから、請求の範囲またはその均等の範囲において種々の変更、置き換え、付加、省略などを行うことができる。
【産業上の利用可能性】
【００２５】
以上のように本技術は、電子機器のデザイン上の商品価値を高める上で有用な発明である。
【符号の説明】
【００２６】
１  筐体
２  表示部
３  スタンド
４  枠体
５  装飾部
６  表示モジュール
７  導光部
７ａ  光出射部
７ｂ  光源取付面
７ｃ  第１の反射面
７ｄ  第２の反射面
８  光源
【図１】
2014147676.tif 000003
【図２】
2014147676.tif 000004
【図３】
2014147676.tif 000005
【図４】
2014147676.tif 000006
【図５】
2014147676.tif 000007
【図６】
2014147676.tif 000008
【図７】
2014147676.tif 000009
【図８】
2014147676.tif 000010
【手続補正書】
【提出日】平成26年6月6日(2014.6.6)
【手続補正１】
【補正対象書類名】特許請求の範囲
【補正対象項目名】全文
【補正方法】変更
【補正の内容】
【特許請求の範囲】
【請求項１】
筐体の表面に光出射部が露出する装飾部を備えた電子機器であって、前記装飾部は、前記光出射部を有する導光部と、前記導光部に取り付けた複数の光源とを有し、
前記導光部は、前記光源が取り付けられる光源取付面と、前記光源から出射された光を反射する第１の反射面及び第２の反射面とを有し、
前記光源は、前記導光部の前記光出射部から出射される光の輝度分布において、分布の谷に対応する位置に配置されていることを特徴とする電子機器。
【請求項２】
（削除）
【請求項３】
前記導光部の第１の反射面は、前記光源取付面との間の角度が９０°以下の角度になるように形成され、前記第２の反射面は、前記第１の反射面との間の角度が鈍角になるように形成されていることを特徴とする請求項１に記載の電子機器。
【請求項４】
前記導光部の前記第２の反射面は、前記第１の反射面より長さが長いことを特徴とする請求項１に記載の電子機器。
【手続補正書】
【提出日】平成27年5月15日(2015.5.15)
【手続補正１】
【補正対象書類名】明細書
【補正対象項目名】全文
【補正方法】変更
【補正の内容】
【発明の詳細な説明】
【技術分野】
【０００１】
本技術は、薄型ディスプレイやスマートフォン、タブレットなどの携帯型ディスプレイのように表示部の周囲に装飾用の筐体を有する表示装置などの電子機器に関するものである。
【背景技術】
【０００２】
薄型ディスプレイやスマートフォン、タブレットなどの携帯型ディスプレイは、液晶表示装置や有機ＥＬ表示装置を表示部として用い、その表示部の周囲を装飾用の筐体で覆う構造が採用されている（特許文献１参照）。
【０００３】
この種の表示装置は、単純な平板形状であり、デザイン上において商品価値を高めるに、表示部の周囲を覆う筐体の装飾に工夫を加えることが行われるようになってきている。
【先行技術文献】
【特許文献】
【０００４】
【特許文献１】特開２００６−５３５２８号公報
【発明の概要】
【０００５】
本技術は、筐体の表面に光出射部が露出する装飾部を備えた電子機器であって、装飾部は、光出射部を有する導光部と、導光部に取り付けた複数の光源とを有している。導光部は、光源が取り付けられる光源取付面と、光源から出射された光を反射する第１の反射面及び第２の反射面とを有している。
【図面の簡単な説明】
【０００６】
【図１】図１は本技術の一実施の形態による表示装置を示す斜視図である。
【図２】図２は表示装置のバックカバーを外して内部の配置構造を示す平面図である。
【図３】図３は図２のＡ部を拡大して示す平面図である。
【図４】図４は図３のＢ部を拡大して示す平面図である。
【図５】図５は筐体の枠体と装飾部との位置関係を示す斜視図である。
【図６】図６は図５のＣ部を拡大して示す斜視図である。
【図７】図７は装飾部において、導光部と光源の一部を拡大して示す説明図である。
【図８】図８は装飾部の光源の位置と光出射部からの光の輝度分布との関係を説明するための説明図である。
【発明を実施するための形態】
【０００７】
以下、本技術の一実施の形態による電子機器について、表示装置を例にとって図面を用いて説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００８】
なお、発明者らは、当業者が本技術を十分に理解するために添付図面および以下の説明を提供するのであって、これらによって請求の範囲に記載の主題を限定することを意図するものではない。
【０００９】
図１は、本技術の一実施の形態による表示装置を示す斜視図である。図１に示すように、薄型の表示装置は、平板状の液晶ディスプレイや有機ＥＬディスプレイなどの表示モジュール（図示せず）を筐体１内に収納することにより構成される。表示装置の前面側には、表示モジュールによる表示部２が設けられている。スタンド３は、表示装置を据え置き状態で保持するためのものである。
【００１０】
また、筐体１は、表示モジュールの前面側であって、表示部２の周囲に配置される額縁状の金属や樹脂からなる枠体４と、表示モジュールの背面側を覆うように配置される金属や樹脂からなるバックカバー（図示せず）とから構成されている。筐体１の枠体４の表面には、全周に亘って、装飾部５の一部である光出射部が露出している。なお、図１においては、装飾部５の光出射部が、筐体１の表面に全周に亘って露出しているが、表面の一部、例えば、上下左右の一辺のみに露出する構成であってもよい。
【００１１】
図２は、表示装置のバックカバーを外して内部の配置構造を示す平面図である。図２に示すように、筐体１内には、表示モジュール６が配置されており、この表示モジュール６と筐体１の枠体４との間には、額縁状の装飾部５が配置されている。
【００１２】
図３は、図２のＡ部を拡大して示す平面図である。図４は、図３のＢ部を拡大して示す平面図である。また、図５は、筐体の枠体と装飾部との位置関係を示す斜視図である。図６は、図５のＣ部を拡大して示す斜視図である。
【００１３】
図３〜図５に示すように、装飾部５は、アクリルやポリカーボネートなどの光透過性の樹脂材料により形成された導光部７と、導光部７に所定の間隔をあけて取り付けたＬＥＤとレンズとからなる複数の光源８とを有している。また、図６に示すように、装飾部５の導光部７は、光出射部７ａを有し、光出射部７ａが枠体４の全周に亘って、筐体１の前面側の表面に露出するように設けられている。光源８の光は、導光部７に導光されて枠体４の前面側の表面から出射される。すなわち、装飾部５の光源８を点灯させることにより、枠体４の前面側に光の輪が形成されることとなる。
【００１４】
図７は、装飾部において、導光部と光源の一部を拡大して示す説明図である。図７に示すように、導光部７は、光源８が取り付けられる光源取付面７ｂと、光源８から出射された光を反射する第１の反射面７ｃ及び第２の反射面７ｄとを有している。第１の反射面７ｃは、光源取付面７ｂとの間の角度αがα≦９０°の角度になるように形成され、また第２の反射面７ｄは、第１の反射面７ｃより長さが長く、第１の反射面７ｃとの間の角度βがβ＞１００°の鈍角になるように形成されている。ここで、光源８は、ＬＥＤと、ＬＥＤから出射される光を広配向に広げて出射するレンズとから構成されている。
【００１５】
したがって、図７の矢印で示すように、光源８から出射される光は、直接、光出射部７ａに導光される光路と、第１の反射面７ｃに導光され、第１の反射面７ｃで反射されて光出射部７ａに導光される光路と、第２の反射面７ｄに導光され、第２の反射面７ｄで反射されて光出射部７ａに導光される光路と、第１の反射面７ｃに導光され、第１の反射面７ｃで反射されて第２の反射面７ｄに導光され、第２の反射面７ｄで反射されて光出射部７ａに導光される光路とが形成されることとなる。これにより、１個の光源８から長さが長い光のラインを形成することができる。
【００１６】
図８は、装飾部の光源の位置と光出射部からの光の輝度分布との関係を説明するための説明図である。図８に示すように、装飾部５から出射される光の輝度分布において、分布の谷に対応する位置に光源８が配置されている。そして、導光部７は、特定の光源８から次の光源８までの間に、第１の反射面７ｃと、第１の反射面７ｃより長さが長く、かつ第１の反射面７ｃとの間の角度が鈍角となる第２の反射面７ｄとを有している。
【００１７】
なお、図８においては、表示装置の長辺部の輝度分布と装飾部５の光源８との位置関係を示しているが、表示装置の短辺部においても、上記で説明した構成と同様な位置関係を有している。
【００１８】
また、上記実施の形態においては、第１の反射面７ｃと第２の反射面７ｄとを有する導光部７を例示して説明したが、第２の反射面７ｄと次の光源取付面７ｂとの間に、別の反射面を形成してもよく、さらには第１の反射面７ｃと第２の反射面７ｄとの間に別の反射面を形成してもよい。
【００１９】
以上のように本技術は、筐体１の表面に光出射部７ａが露出する装飾部５を備えた電子機器であって、装飾部５は、光出射部７ａを有する導光部７と、導光部７に取り付けた複数の光源８とを有している。導光部７は、光源８が取り付けられる光源取付面７ｂと、光源８から出射された光を反射する第１の反射面７ｃ及び第２の反射面７ｄとを有している。
【００２０】
これにより、少ない数の光源８によって、長さが長い光のラインを形成することができ、しかも均一な明るさで光らせることができ、デザイン上の商品価値を高めることができるという効果が得られる。
【００２１】
また、本技術は、光源８は、導光部７の光出射部７ａから出射される光の輝度分布において、分布の谷に対応する位置に配置される。これにより、より均一な明るさで、装飾部５を光らせることができ、デザイン上の商品価値を高めることができる。
【００２２】
以上のように、本開示における技術の例示として、実施の形態を説明した。そのために、添付図面および詳細な説明を提供した。
【００２３】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００２４】
また、上述の実施の形態は、本開示における技術を例示するためのものであるから、請求の範囲またはその均等の範囲において種々の変更、置き換え、付加、省略などを行うことができる。
【産業上の利用可能性】
【００２５】
以上のように本技術は、電子機器のデザイン上の商品価値を高める上で有用な発明である。
【符号の説明】
【００２６】
１    筐体
２    表示部
３    スタンド
４    枠体
５    装飾部
６    表示モジュール
７    導光部
７ａ    光出射部
７ｂ    光源取付面
７ｃ    第１の反射面
７ｄ    第２の反射面
８    光源
【手続補正２】
【補正対象書類名】特許請求の範囲
【補正対象項目名】全文
【補正方法】変更
【補正の内容】
【特許請求の範囲】
【請求項１】
筐体の表面に光出射部が露出する装飾部を備えた電子機器であって、前記装飾部は、前記光出射部を有する導光部と、前記導光部に取り付けた複数の光源とを有し、
前記導光部は、前記光源が取り付けられる光源取付面と、前記光源から出射された光を反射する第１の反射面及び第２の反射面とを有し、
前記光源は、前記導光部の前記光出射部から出射される光の輝度分布において、分布の谷に対応する位置に配置されていることを特徴とする電子機器。
【請求項２】
前記導光部の第１の反射面は、前記光源取付面との間の角度が９０°以下の角度になるように形成され、前記第２の反射面は、前記第１の反射面との間の角度が鈍角になるように形成されていることを特徴とする請求項１に記載の電子機器。
【請求項３】
前記導光部の前記第２の反射面は、前記第１の反射面より長さが長いことを特徴とする請求項１に記載の電子機器。
【手続補正３】
【補正対象書類名】図面
【補正対象項目名】全図
【補正方法】変更
【補正の内容】
【図１】
2014147676.tif 000011
【図２】
2014147676.tif 000012
【図３】
2014147676.tif 000013
【図４】
2014147676.tif 000014
【図５】
2014147676.tif 000015
【図６】
2014147676.tif 000016
【図７】
2014147676.tif 000017
【図８】
2014147676.tif 000018
【国際調査報告】
2014147676.tif 000019
2014147676.tif 000020
2014147676.tif 000021
2014147676.tif 000022